(57)【要約】【課題】操作する加熱体を多数有する加熱調理器の操作部および操作部のボタンの数を少なくし、使用時に操作するべきボタンをわかりやすくする。【解決手段】複数の加熱体２３を数グループに分割し、グループ内の加熱体２３を操作するためにグループ毎に操作部２４を設け、加熱体２３の出力を調整する調整ボタン２６をグループ内の各加熱体２３に対して共用とし、操作部２４に設けた選択ボタン２５によって加熱体２３を選択し出力調整するようにしてあるので、加熱体２３が多い場合でも操作部２４および操作部２４のボタンが少なくなり、操作する部位をわかりやすくすることができる。【選択図】図１
2009174824.tif 000002
【特許請求の範囲】
【請求項１】
本体の天面を形成するトッププレートと、前記トッププレート上に載置した被加熱物を加熱する複数の加熱体と、前記加熱体の動作を操作するための操作部と、前記加熱体の出力を調整するために操作部に設けた調整手段とを備え、前記加熱体は数グループに分割するとともに前記調整手段をグループ内の各加熱体に対して共用とし、グループ内の加熱体から調整対象を選択するための選択手段を操作部に設け、前記選択手段によって選択した加熱体の出力を前記調整手段により調整する加熱調理器。
【請求項２】
前記加熱体への通電を制御する制御駆動手段を加熱体のグループ毎に設け、各制御駆動手段が独立してグループ内の加熱体を駆動する請求項１に記載の加熱調理器。
【請求項３】
前記加熱体への通電を操作する開閉手段を加熱体毎に操作部に設け、前記選択手段を開閉手段と兼用して選択開閉手段とした請求項１または２に記載の加熱調理器。
【請求項４】
前記開閉手段がグループ内の各加熱体の位置関係と相似形に操作部に配置された請求項３に記載の加熱調理器。
【請求項５】
加熱体の出力レベルを表示する表示手段が加熱体毎に前記操作部に設けられた請求項１〜４のいずれか１項に記載の加熱調理器。
【請求項６】
前記表示手段がグループ内の各加熱体の位置関係と相似形に操作部に配置された請求項５に記載の加熱調理器。
【発明の詳細な説明】
【技術分野】
【０００１】
本発明は、複数の加熱体を有した加熱調理器に関するものである。
【背景技術】
【０００２】
従来、この種の加熱調理器としては、トッププレート上に複数の加熱体が配置され、加熱体の通電操作や出力調整のために一つの加熱体に対しそれぞれ操作部が設けられていた（例えば、特許文献１参照）。
【０００３】
その構成は図９から図１１に示すように、本体１の天面は鍋などの被加熱物を載置するトッププレート２で形成され、トッププレート２の内側には被加熱物を加熱する複数の加熱体３ａ〜３ｅが配置されている。
【０００４】
トッププレート２上には操作部４が設けられ、操作部４には加熱体３への通電を操作する開閉ボタン５、加熱体３の出力を調整する調整ボタン６および出力レベルを表示する出力レベル表示手段７が設けられている。
【０００５】
加熱体３の下方には制御回路８が設けられ、操作部４を操作することによって制御回路８を介して加熱体３への通電の開閉や出力が調整される。操作部４は加熱体３毎に設けられ、図では５個の加熱体３に対して５個の操作部４がトッププレート２上に設けられている。
【特許文献１】特開平１０−２１４６７７号公報
【発明の開示】
【発明が解決しようとする課題】
【０００６】
しかしながら、前記従来の構成では、加熱体が多い場合には操作部や操作部のボタンが増えてトッププレート上が繁雑になってしまい、使用する加熱体を操作するにはどの操作部を操作すればよいのか迷ってしまうという課題を有していた。
【０００７】
本発明は、前記従来の課題を解決するもので、加熱体が多い場合でも操作部および操作部のボタンの数を少なくし、操作する箇所をわかりやすくすることができる加熱調理器を提供することを目的とする。
【課題を解決するための手段】
【０００８】
前記従来の課題を解決するために、本発明の加熱調理器は、複数の加熱体を数グループに分割し、グループ内の加熱体を操作するためにグループ毎に操作部を設け、加熱体の出力を調整する調整手段をグループ内の各加熱体に対して共用とし、操作部に設けた選択手段によってグループ内の加熱体を選択し出力調整するものである。
【０００９】
これによって、加熱体が多い場合でも操作部および操作部のボタンの数を少なくし、操作する部位をわかりやすくすることができる。
【発明の効果】
【００１０】
本発明の加熱調理器は、加熱体が多い場合でも操作部および操作部のボタンの数を少なくし、操作する箇所をわかりやすくすることができる。
【発明を実施するための最良の形態】
【００１１】
第１の発明は、複数の加熱体を数グループに分割し、グループ内の加熱体を操作するためにグループ毎に操作部を設け、加熱体の出力を調整する調整手段をグループ内の各加熱体に対して共用とし、操作部に設けた選択手段によってグループ内の加熱体を選択し出力調整するようにしたことにより、加熱体が多い場合でも操作部および操作部のボタンの数を少なくし、操作する部位をわかりやすくすることができる。
【００１２】
第２の発明は、特に第１の発明において、制御駆動手段を加熱体のグループ毎に設け各制御駆動手段が独立してグループ内の加熱体を駆動するようにしたもので、片方のグループが故障した場合でももう一方のグループを使用可能とし、加熱調理器全体が使用できなくなる状態を回避することができる。
【００１３】
第３の発明は、特に第１または第２の発明において、選択手段が加熱体動作の開閉手段と兼用されたことにより、操作部のボタンをさらに少なくすることができる。
【００１４】
第４の発明は、特に第３の発明において、選択手段をグループ内の各加熱体の位置関係と相似形に操作部域に配置したことにより、操作したい加熱体の選択手段を視覚的にわかりやすくすることができる。
【００１５】
第５の発明は、特に第１〜４のいずれか１つの発明において、加熱体の出力レベル表示手段を加熱体毎に操作部に設けたもので、複数の加熱体を同時使用している場合に各加熱体の状態をすぐに確認することができる。
【００１６】
第６の発明は、特に第５の発明において、出力レベル表示手段をグループ内の各加熱体の位置関係と相似形に操作部域に配置したことにより、複数の加熱体を同時使用している場合に各加熱体の状態を迷わずに確認することができる。
【００１７】
以下、本発明の実施の形態について、図面を参照しながら説明する。なお、この実施の形態によって本発明が限定されるものではない。
【００１８】
（実施の形態１）
図１は本発明の第１の実施の形態における加熱調理器の平面図を、図２は本発明の第１の実施の形態における加熱調理器の操作部拡大図を、図３は本発明の実施の形態１における加熱調理器の断面図を示すものである。
【００１９】
図に示すように、本体２１の天面は鍋などの被加熱物を載置するトッププレート２２で形成され、トッププレート２２の内側には被加熱物を加熱する複数の加熱体２３ａ〜２３ｅが配置されている。
【００２０】
加熱体２３は操作をわかりやすくするため数個ずつを関連づけ、図では５個の加熱体２３を左２個、右３個に関連づけ、グループＡとグループＢを形成してある。グループの数は加熱体の数よりも少なく設定されている。グループ内の加熱体２３の出力を調整するためにトッププレート２２上のグループ近傍には、操作部２４Ａ、２４Ｂが設けられている。
【００２１】
操作部２４にはグループ内の加熱体２３の中から出力調整の対象となる加熱体を選択するための選択ボタン２５と、選択した加熱体２３の出力を調整する調整ボタン２６および加熱体２３への通電を開閉する開閉ボタン２７ａ〜２７ｅが設けられている。
【００２２】
すなわち、調整ボタン２６はグループ内の各加熱体２３に共通で、グループ内の加熱体２３の出力が共通の調整ボタン２６で調整される。調整ボタン２６をグループ内の各加熱体２３に対し共通にしたことにより調整ボタン２６の数が減り、トッププレート２２上のボタンが少なくなり、操作するべきボタンがわかりやすくなっている。
【００２３】
さらに、操作部２４には加熱体２３の出力レベルを表示する出力レベル表示手段２８と、選択ボタン２５によって加熱体２３が選択されたことを示す表示灯２９ａ〜２９ｅが設けられている。
【００２４】
ここで、加熱体２３をグループに分割せずに操作部２４をひとつにした場合には操作するボタンや表示が１箇所に集中して操作がわかりにくくなるが、グループに分割したことによって操作するボタンが集中せず、操作がわかりやすくなっている。
【００２５】
加熱体２３の下方には制御回路３０が設けられ、操作部２４を操作することによって制御回路３０を介して加熱体２３への通電が開閉されるとともに出力が調整される。また、トッププレート２２には加熱調理器全体の電源を入り切りする電源ボタン３１が設けられている。
【００２６】
なお、図では出力レベル表示手段２８がグループＡとグループＢで完全に分離しているが、デザイン的に連なっていてもそれぞれの表示であることが使用者にわかるように配置されていればよい。
【００２７】
以上のように構成された加熱調理器について、以下その動作、作用を説明する。
【００２８】
まず、被加熱物を使用する加熱体２３ａの上に載せ、電源ボタン３１を押す。そして、グループＡの選択ボタン２５を押して加熱体２３ａを選択する。すると、出力レベル表示手段２８が点灯しさらに表示灯２９ａが点滅して加熱体２３ａが調整待機状態であることが示される。
【００２９】
開閉ボタン２７を押すと加熱体２３への通電が開始され、次に調整ボタン２６を押して加熱体２３ａの出力を調整する。すると、出力レベル表示手段２８の表示が変わり現在の出力レベルが表示される。
【００３０】
次に同一グループ内で他の被加熱物を加熱する場合は、被加熱物を別の加熱体２３ｂの上に載せ、選択ボタン２５を数回押す。すると、表示灯２９ａは点灯に替わり、選択した加熱体２３ｂの表示灯２９ｂが点滅し調整待機状態であることが表示される。
【００３１】
一方、出力レベル表示手段２８の表示は選択した加熱体２３ｂの出力レベルを表示するように切り替わる。そして、開閉ボタン２７ｂを押してから調整ボタン２６を押すと選択した加熱体２３ｂの出力が調整され、出力レベル表示手段２８にその出力レベルが表示される。
【００３２】
また、同一グループ内の複数の加熱体２３を同時使用している時にいずれかの加熱体２３の出力レベルを調整するには、まず選択ボタン２５を押して調整する加熱体２３を選択する。加熱体２３ａを選択したとすると、表示灯２９ａが点滅するとともに、出力レベル表示手段２８が選択した加熱体２３ａの出力レベルの表示に切り替わる。
【００３３】
この状態で調整ボタン２６を押すと、選択した加熱体２３ａの出力レベルを調整することができる。
【００３４】
このように、本実施の形態においては、複数の加熱体を数グループに分割し、グループ内の加熱体を操作するためにグループ毎に操作部を設け、加熱体の出力を調整する調整手段をグループ内の各加熱体に対して共用とし、操作部に設けた選択手段によってグループ内の加熱体を選択し出力調整するようにしたことにより、加熱体が多い場合でも操作部および操作部のボタンの数を少なくし、操作する箇所をわかりやすくすることができる。
【００３５】
（実施の形態２）
図４は、本発明の第２の実施の形態における加熱調理器の回路構成図を示している。実施の形態１と同一要素については同一符号を付してその説明を省略する。
【００３６】
本実施の形態における加熱調理器は、制御回路３０を加熱体２３のグループ毎に設けてある。すなわち、グループＡに対し制御回路３０Ａを、グループＢに対し制御回路３０Ｂを独立して設け、それぞれグループ内の加熱体２３を駆動するようにしてある。
【００３７】
制御回路３０Ａまたは３０Ｂのどちらか一方が故障してももう一方のグループが使用可能で、加熱調理器全体が使用できなくなる状態を回避し応急的に調理を行うことができる。
【００３８】
このように、本実施の形態においては、制御駆動手段を加熱体のグループ毎に設け各制御駆動手段が独立してグループ内の加熱体を駆動するようにしたもので、片方のグループが故障した場合でももう一方のグループを使用可能とし、加熱調理器全体が使用できなくなる状態を回避することができる。
【００３９】
（実施の形態３）
図５は、本発明の第３の実施の形態における加熱調理器の平面図を示している。実施の形態１と同一要素については同一符号を付してその説明を省略する。
【００４０】
本実施の形態における加熱調理器は、選択ボタンと開閉ボタンを兼用し、選択開閉ボタン３２ａ〜３２ｅを操作部２４に加熱体２３毎に設けてある。すなわち、選択開閉ボタン３２ａを押すことで加熱体２３ａが選択され通電が開始されるとともに、出力レベル表示手段２８の表示が選択した加熱体２３ａの出力レベルの表示に切り替わる。
【００４１】
実施の形態１に比べ、操作部２４のボタンをさらに少なくすることができるうえ、加熱体２３の選択と通電操作が選択開閉ボタン３２を１回押すだけでよく、使い勝手がよくなるものである。
【００４２】
このように、本実施の形態においては、選択手段を加熱体動作の開閉手段と兼用したことにより、操作部のボタンをさらに少なくすることができ、使い勝手がよくなる。
【００４３】
（実施の形態４）
図６は、本発明の第４の実施の形態における加熱調理器の平面図を示している。実施の形態１と同一要素については同一符号を付してその説明を省略する。
【００４４】
本実施の形態における加熱調理器は、グループ内の加熱体２３のトッププレート２２上での位置関係と相似形に選択開閉ボタン３２を操作部２４に配置してある。加熱体２３を使用あるいは調整しようとする時に加熱体２３と選択開閉ボタン３２が相似形に配置されているため、操作する加熱体２３の選択開閉ボタン３２がどれであるか視覚的にわかりやすく、選択開閉ボタン３２を迷わずに押すことができる。
【００４５】
このように、本実施の形態においては、選択手段をグループ内の各加熱体の位置関係と相似形に操作部に配置したことにより、操作したい加熱体の選択手段を迷わずに選ぶことができる。
【００４６】
（実施の形態５）
図７は、本発明の第５の実施の形態における加熱調理器の平面図を示している。実施の形態１と同一要素については同一符号を付してその説明を省略する。
【００４７】
本実施の形態における加熱調理器は、出力レベル表示手段２８を加熱体２３毎に操作部２４に設けてあり、加熱体２３の状態が個別に表示される。加熱体２３の状態が個別に表示されるため、複数の加熱体２３を同時使用していても選択開閉ボタン３２による切り替えなしで各加熱体２３の出力レベルを視認することができる。
【００４８】
また、出力レベルを調整する時には選択した加熱体２３の出力レベルを調整しながら、他の加熱体２３の出力レベルも確認することができ他の加熱体２３の加熱しすぎや加熱不足を防ぐ効果もある。
【００４９】
このように、本実施の形態においては、加熱体の出力レベル表示手段を加熱体毎に操作部に設けたもので、複数の加熱体を同時使用している場合に各加熱体の状態をすぐに確認することができる。
【００５０】
（実施の形態６）
図８は、本発明の第６の実施の形態における加熱調理器の平面図を示している。実施の形態１と同一要素については同一符号を付してその説明を省略する。
【００５１】
本実施の形態における加熱調理器は、グループ内の加熱体２３のトッププレート２２上での位置関係と相似形に出力レベル表示手段２８を操作部２４に配置してある。加熱体２３と出力レベル表示手段２８が相似形の配置されてあるためどの加熱体２３の出力レベルが表示されているか視覚的にわかりやすく、複数の加熱体２３を同時使用している場合に各加熱体２３の状態を迷わずに確認することができ、各加熱体２３の加熱しすぎや加熱不足を防ぐ効果がある。
【００５２】
このように、本実施の形態においては、出力レベル表示手段をグループ内の加熱体の位置関係と相似形に操作部域に配置したことにより、複数の各加熱体を同時使用している場合に各加熱体の状態を迷わずに確認することができ、各加熱体の加熱しすぎや加熱不足を防ぐ効果がある。
【産業上の利用可能性】
【００５３】
以上のように、本発明にかかる加熱調理器は操作部および操作部のボタンの数を少なくし操作する箇所をわかりやすくすることができるので、加熱調理器に限らず複数の動作部と操作部を有する機器に適用できる。
【図面の簡単な説明】
【００５４】
【図１】本発明の実施の形態１における加熱調理器の平面図
【図２】本発明の実施の形態１における加熱調理器の操作部拡大図
【図３】本発明の実施の形態１における加熱調理器の断面図
【図４】本発明の実施の形態２における加熱調理器の回路構成図
【図５】本発明の実施の形態３における加熱調理器の平面図
【図６】本発明の実施の形態４における加熱調理器の平面図
【図７】本発明の実施の形態５における加熱調理器の平面図
【図８】本発明の実施の形態６における加熱調理器の平面図
【図９】従来の加熱調理器の平面図
【図１０】従来の加熱調理器の操作部拡大図
【図１１】従来の加熱調理器の断面図
【符号の説明】
【００５５】
２１  本体
２２  トッププレート
２３ａ〜ｅ  加熱体
２４Ａ、２４Ｂ  操作部
２５  選択ボタン（選択手段）
【図１】
2009174824.tif 000003
【図２】
2009174824.tif 000004
【図３】
2009174824.tif 000005
【図４】
2009174824.tif 000006
【図５】
2009174824.tif 000007
【図６】
2009174824.tif 000008
【図７】
2009174824.tif 000009
【図８】
2009174824.tif 000010
【図９】
2009174824.tif 000011
【図１０】
2009174824.tif 000012
【図１１】
2009174824.tif 000013